(57)【要約】【課題】            多孔質素材により構成されるダクト壁部分を有する通気ダクトにおいて、多孔質材により構成されるダクト壁部分の強度や剛性を高めるとともに、当該部分の通気性の調整が行いやすいような通気ダクトを提供する。【解決手段】        ダクト本体２の壁面に設けられた開口部に、開口部を覆うように通気性部材３を一体化した通気ダクト１において、前記通気性部材３を、山部と谷部を有する襞折状としたシート状通気性素材を、隣接する襞の表面が互いに接触するように形成した部材により構成する。山部と谷部を有する襞折状としたシート状通気性素材が、襞の折方向がダクト軸と平行となるように円筒状にされるとともに、隣接する襞の表面が互いに接触するようにして通気性ダクト部材６を形成しても良い。【選択図】          図１
2010002147.tif 000002
【特許請求の範囲】
【請求項１】
その内部に空気を通流するダクト本体の壁面に設けられた開口部に、開口部を覆うように通気性部材を一体化した通気ダクトであって、
前記通気性部材が、山部と谷部を有する襞折状としたシート状通気性素材を、隣接する襞の表面が互いに接触するように形成した部材であることを特徴とする通気ダクト。
【請求項２】
ダクト軸方向の少なくとも一部の区間において、ダクト壁が通気性素材からなるダクト区間を有するとともに、その内部に空気を通流する通気ダクトであって、
前記ダクト区間では、山部と谷部を有する襞折状としたシート状通気性素材が、襞の折方向がダクト軸と平行となるように円筒状にされるとともに、隣接する襞の表面が互いに接触するようにしてダクト壁が形成されていることを特徴とする通気ダクト。
【発明の詳細な説明】
【技術分野】
【０００１】
本発明は、合成樹脂などで形成されたダクトの内部に空気を通流する通気ダクトに関する。特に、ダクト壁の一部に通気性が与えられた通気ダクトに関する。
【背景技術】
【０００２】
通気ダクトは、特に自動車用内燃機関の吸気システムや、空調システム・冷却風送風システムなどの一連のダクト系の一部として使用されている。このようなダクト系においては、一般にダクト壁が非通気性素材からなるダクトが使用されることが多く、そのために、エンジンやファンやモータなどを騒音源とする騒音がダクト内を伝播したり、ダクト系に生ずる気柱共鳴が発生したりするので、かねてから騒音の低減が望まれていた。
【０００３】
ダクト系を伝播する騒音を低減する技術としては、拡径チャンバー部を設けるものや、ヘルムホルツレゾネータなどの共鳴型消音器を設けるものなどが開発・応用されているが、非通気性素材で形成されるダクト壁の一部に通気性を有する部分を設けて、ダクト系の気柱共鳴を予防して、ダクトを伝播する騒音の低減を図る技術、いわゆるポーラスダクトと呼ばれる技術が開発されている。
【０００４】
そのような機能を有するポーラスダクトダクトとして、特許文献１に記載されたような技術が知られている。この技術は、非通気性のダクト壁の一部に穴を設けて、適度な通気性を有する不織布などの多孔質材を、それらの穴を覆うように取付け、ダクト内部空間と外部空間とが多孔質材を通じて連通するようにした技術であり、さらに、特許文献１に記載のポーラスダクトにおいては、ダクト本体の壁面から突出する取り付け部を設け、取り付け部先端の開口部に不織布が熱溶着されている。このようなダクトにおいては、多孔質材の通気度を調整することにより、ダクト系に生ずる気柱共鳴の発生を防止しながら、ダクト系を伝播する騒音の低減を図ることができるという効果が得られる。
【０００５】
また、特許文献２には、いわゆるポーラスダクトの他の例として、ダクト軸方向の一部の区間のダクトが、多孔質材がパイプ状に形成された多孔質材ダクトにより構成された吸気ダクトが開示されており、このようなダクトによっても、上記したポーラスダクト特有の効果が得られる。
【特許文献１】特開２００１−３２３８５３号公報
【特許文献２】特開２０００−１６１１６０号公報
【発明の開示】
【発明が解決しようとする課題】
【０００６】
しかしながら、こうしたポーラスダクトにおいて適度な消音効果が得られるようにするためには、通気性を有する多孔質素材で形成されるダクト壁部分の大きさ（面積）や配置や通気性（透気度）を調整する必要があるうえに、比較的脆弱な多孔質素材に通気ダクトとして必要な強度・剛性を持たせる必要があるため、それらをバランスよく調整してポーラスダクトの設計を行うことは難しいことであった。
【０００７】
特に、適度な消音性能を確保するために、濾紙や不織布などの多孔性のシート材の通気度を調整する必要がある場合には、繊維密度や繊維径を変更したり、バインダーを塗布したりするなど、多孔性シート素材そのものを調製しなおすことが必要となる。そのため、適度な消音性能を有するようにシート材の通気度などを調整して、多孔性シート材を用いた消音構造を開発することは容易なことではなかった。また、多孔性シート材の形状が通流する空気にさらされても変形しないだけの保形性をもたせる必要があるが、通常の不織布を用いた場合には、ダクトがつぶれて閉塞するおそれがあるなど、十分な保形性を持たせることが困難となる場合がある。そのような場合には、不織布にバインダー樹脂を含浸させるなどして固める必要が生じ、好ましい消音性を持たせることが一層困難となることがあった。
【０００８】
したがって、本発明は、多孔質素材により構成されるダクト壁部分を有する通気ダクトにおいて、多孔質材により構成されるダクト壁部分の強度や剛性を高めるとともに、当該部分の通気性の調整が行いやすいような通気ダクトを提供することを目的とする
【課題を解決するための手段】
【０００９】
発明者は、鋭意検討の結果、山部と谷部を有する襞折状としたシート状通気性素材を、隣接する襞の表面が互いに接触するように形成して、通気性を有するダクト壁として使用すると、上記課題が解決できることを知見し、本発明を完成させた。
【００１０】
本発明は、その内部に空気を通流するダクト本体の壁面に設けられた開口部に、開口部を覆うように通気性部材を一体化した通気ダクトであって、前記通気性部材が、山部と谷部を有する襞折状としたシート状通気性素材を、隣接する襞の表面が互いに接触するように形成した部材であることを特徴とする通気ダクトである。
【００１１】
また、本発明は、ダクト軸方向の少なくとも一部の区間において、ダクト壁が通気性素材からなるダクト区間を有するとともに、その内部に空気を通流する通気ダクトであって、前記ダクト区間では、山部と谷部を有する襞折状としたシート状通気性素材が、襞の折方向がダクト軸と平行となるように円筒状にされるとともに、隣接する襞の表面が互いに接触するようにしてダクト壁が形成されていることを特徴とする通気ダクトである（請求項２）。
【発明の効果】
【００１２】
本発明によれば、ダクト壁の一部が通気性を有するようになっているので、通気ダクトがいわゆるポーラスダクトとして働き、ダクト系の気柱共鳴を予防して、ダクトを伝播する騒音の低減を図ることができる。
【００１３】
さらに、本発明では、シート状通気性素材が山部と谷部を有する襞折状とされ、隣接する襞の表面が互いに接触するようにして通気性部材やダクト壁が形成されているので、比較的薄いシート状通気性素材を使用した場合であっても、比較的厚い通気性部材やダクト壁を得ることができ、その機械的強度や剛性を高めることができる。
【００１４】
さらに、本発明によれば、通気性部材やダクト壁の通気性の調整や通気ダクトの消音性能の調整が行いやすい。すなわち、通気度の調整をするために新たな仕様のシート状通気性素材を製造しなくても、襞折の山数や、互いに接触する襞の接触の程度を調整すれば通気性部材やダクト壁の通気度を調整することができる。
【発明を実施するための最良の形態】
【００１５】
以下、図面に基づいて、本発明の実施形態を説明する。図１は本発明の通気ダクト１の外観を示す斜視図である。図２には、本発明の通気ダクト１の通気性部材３付近のダクト軸方向に沿った断面（図１の矢視方向）を示す。本発明の通気ダクト１は、自動車のエンジンに空気を供給するための吸気システムの吸気ダクトの一部や、エアコンの送風ダクトの一部や、電池などを冷却するための送風ダクトの一部として他のダクトやエアクリーナや送風ユニットなどに接続して使用されるダクト部材であり、ダクト本体２に設けられた開口部２１に通気性部材３が取付けられてなる通気ダクトである。
【００１６】
ダクト本体２は、熱可塑性樹脂により形成された中空のダクト部材であり、特に本実施形態においては、ダクト本体２全体がポリプロピレン樹脂のブロー成形によって形成されている。本発明において好ましくは、ダクト壁は非通気性となるように形成される。ダクト本体２は、その両端部に他のダクト部材などに接続するための口元部２５、２５を有し、その間に大筒部２２が形成されており、大筒部２２が、通流する空気の流路を形成している。さらに、大筒部２２の壁面からダクト外側に向かって取り付け部２３が額縁状に突出しており、取り付け部２３に囲まれるように略長方形状の開口部２１が設けられている。大筒部２２の内部空間とダクト外部とは開口部２１を通じて互いに連通している。
【００１７】
取り付け部２３は、ダクト軸方向に沿う長さＬ、幅Ｗの略長方形状に設けられ、その内側には、開口部２１を取り囲むように通気性部材３を取付けるためのフランジ２７が設けられている。
【００１８】
通気性部材３は、開口部２１を覆うようにダクト本体２のフランジ２７にホットメルト接着剤により取付けられている。その結果、通気ダクト１の内部と外部とは、通気性部材３を通じて連通するようになっている。通気性部材３はシート状の通気性素材である不織布をプリーツ加工して山部と谷部を有する襞折形状に賦形し、略長方形の平板状（略直方体状）とした通気性部材であり、襞折の山と谷の間の略平板状の区間が通気性部材３の板厚方向（即ち通気ダクト１の内部から外部に連通する方向）に沿うように折り畳まれた部材である。通気性部材３は、隣接する襞の表面が互いに接触するような状態に折り畳まれて、取り付け部２３及びフランジ２７に取り付けられている。本実施形態においては、隣接する襞の表面が確実に互いに接触するように、襞折山部の間隔ｄが不織布のもともとの厚みｔに対し、ｄ＝１．８ｔとなるようにされている。
【００１９】
通気性部材３に使用される不織布には、合成樹脂繊維からなる不織布が好ましく使用でき、合成樹脂繊維としては、本実施形態のようにＰＥＴ樹脂が使用できる。不織布を構成する合成樹脂としては、その他、ポリプロピレン樹脂や、ポリアミド樹脂、ポリエステル樹脂などの熱可塑性樹脂繊維が例示できる。これら樹脂を芯鞘構造とした樹脂繊維を使用しても良いし、これら樹脂を混紡して不織布としても良い。特に、融点の異なる合成樹脂繊維を混紡して、比較的低融点の繊維をバインダー繊維として使用すると、プリーツ加工をする際に熱を加えることにより賦形性がよくなり、襞折形状の固定が行いやすくなるとともに、通気性の調整も行いやすくなる。
【００２０】
通気性部材３に使用する不織布は、単層の不織布であっても良いし、複層の不織布であっても良い。また、不織布には、不織布の保形性を高めたり、不織布の通気性を調整する目的で、アクリル系樹脂や、スチレン系樹脂、フェノール系樹脂、エポキシ系樹脂、酢酸ビニル系樹脂などの樹脂成分を含むバインダー樹脂を含浸させて使用することもできる。
【００２１】
本発明の通気ダクトにおいては、折り畳まれた不織布が通気性部材３として適度な通気性、ひいては消音性能を有するように、以下のような不織布を使用するのが好ましい。不織布の目付け量は、８０〜５００ｇ／ｍ２程度の範囲から選択できる。また、不織布３の厚みは、０．５〜１０．０ｍｍであることが好ましい。
【００２２】
好ましい不織布の透気度（ＪＩＳ Ｐ８１１７に準拠したガーレー式デンソメーターを用いた方法により測定）は０．１〜１０ｓ／３００ｍｌ程度の範囲から選択でき、例えば、消音性が向上するためには、０．３〜５ｓ／３００ｍｌ、好ましくは０．４〜２ｓ／３００ｍｌ程度であってもよい。
【００２３】
本発明の実施形態である通気ダクト１は、次のように製造される。ダクト本体２は周知の合成樹脂製ダクトの製造方法、例えば、ブロー成形、射出成形などにより成形される。通気性部材３は、所定幅に裁断された帯状の不織布を所定の折幅（例えば１５ｍｍ）で山部と谷部とが形成されるように襞状に折りたたんでいく、いわゆるプリーツ加工により、不織布を襞付けして成形する。襞状の折りぐせを付けるために、プリーツ加工時に熱を加えることが好ましい。
【００２４】
なお、不織布をプリーツ加工する際に、熱プレスを併用して、不織布を部分的に、あるいは全体的に圧縮加工し、通気性の調整を行うこともできる。その場合には、特に熱可塑性樹脂からなるバインダー繊維を不織布に混紡したり、熱可塑性樹脂を含むバインダー液により不織布を前処理したりすることが好ましい。通気性部材３には、通気性を調整する目的や、剛性を高める目的、撥水性を与える目的などに応じて、バインダーや種々の処理剤を塗布含浸させるが、これら塗布含浸工程を、熱プレスと同時に行うことが好ましい。
【００２５】
所定の襞折形状に成形された通気性部材３を、ダクト本体２の開口部２１を覆うようにして取り付け、フランジ２７と通気性部材周縁部とを互いにホットメルト接着剤により接着一体化する。ダクト本体２と通気性部材３の一体化は、他の接着剤や粘着剤を使用したり、熱溶着によって行うこともできる。熱溶着により一体化する場合には、加熱した熱盤にフランジ２７を押し付けてその表面を溶融させ、その後直ちに通気性部材３を押し付けることによって行うことができる。なお、本発明の通気ダクトにおいては、襞折した不織布の隣接する山部間の間隔ｄが、所定の幅（本実施形態においてはｄ＝１．８ｔ）となるように、襞折した不織布をやや圧縮傾向に仮保持した状態で、取り付け部２３およびフランジ２７に固定するようにすることが好ましい。以上のようにして、本発明の通気ダクト１を得ることができる。
【００２６】
本発明の作用効果を説明する。本発明においては、通気性部材３が、ダクト本体に設けられた開口部２１を覆うように取付けられているので、いわゆるポーラスダクトとして働き、ダクト系の気柱共鳴を予防して、ダクトを伝播する騒音の低減を図ることができる。
【００２７】
さらに、本発明では、シート状通気性素材（本実施形態では不織布）が山部と谷部を有する襞折状とされ、隣接する襞の表面が互いに接触するようにして通気性部材３が形成されているので、比較的薄いシート状通気性素材を使用した場合であっても、比較的厚い通気性部材３を得ることができ、通気性部材３の機械的強度や剛性を高めることができる。また、隣接する襞の表面が互いに接触するようにして通気性部材３が形成されているので、通気ダクト内部を通流する空気の流れに通気性部材がさらされても、ばたついたり襞折形状が乱れたりすることが防止できる。
【００２８】
さらに、本発明においては、通気性部材３の通気性の調整や通気ダクト１の消音性能の調整が行いやすい。以下にその説明をする。
ダクト壁の一部に不織布素材等の通気性素材を用いた、いわゆるポーラスダクトにおいては、通常、その消音性能は、主に通気性部材の通気特性やその配置・面積などにより決定される。そのため、通気性部材の設置スペースが制限されている場合などには、通気性部材の通気特性を直接変更して通気ダクトの消音性能を調整する必要が生じ、特性の異なる通気性部材を別途調製して通気ダクトの消音特性の変更を行う必要があった。これは、特許文献１や特許文献２に記載のポーラスダクトにおいて顕著であり、消音性能の調整が難しかった。
【００２９】
しかしながら、本発明においては、シート状の通気性素材の隣接する襞の表面が互いに接触するようにしたので、通気ダクト内部空間と、外部空間との間を、空気が通気性部材を通過して流れようとする際の抵抗を大きくできる。したがって、本発明によれば、比較的通気度の大きい（通気抵抗の小さな）シート状通気性素材を用いても、通気性部材３としての通気度を抑えることができ（通気抵抗を大きくして）、シート状通気性素材そのものの特性変更を行わなくてもポーラスダクトの消音性能を調整できる。
【００３０】
また、本発明においては、襞折山部や襞折谷部が折り曲げられることにより、当該部位の通気度が抑えられると共に、この部分の通気度が、通気性部材３全体の通気特性に及ぼす寄与が高くなるため、当該山部／谷部の数（即ち襞折の数）を調整することで、通気度の調整を行うことができる。即ち、山数を多くすれば通気度が抑えられ、山数を少なくすれば通気を高めることができる。したがって、本発明によれば、通気度の調整をするために新たな仕様のシート状通気性素材を製造しなくても、山数を調整すれば通気性部材３の通気度や消音特性を調整することができる。
【００３１】
なお、本発明において、消音性能をより高めるためには、シート状通気性素材の隣接する襞の表面同士の接触が確実となるように、襞折山部の間隔ｄが、シート状通気性素材のもともとの厚みをｔとして、１．５ｔ≦ｄ≦３．０ｔであることが好ましい。また、１．５ｔ≦ｄ≦２．０ｔとすれば、シート状通気性素材が襞折の間の部分で互いに圧縮されるようになって、シート状通気性素材を通過する空気の抵抗を高めることができるので、更に通気性部材３の通気度の調整範囲を拡げることができる。
【００３２】
以上、本発明の通気ダクトの実施形態を説明したが、本発明はその性質を大きく変えない範囲で、以下のような改変を加えて実施することもできる。なお、以下の説明においては、上記第１実施例との相違点を中心に説明し、同様である点についてはその詳細な説明は省略する。
【００３３】
図３、図４、図５には本発明の第２の実施形態を示す。第２実施形態の通気ダクトにおいては、通気ダクト５のダクト軸方向の所定長さにわたる区間（本実施例においてはダクト中央部の区間Ａ）が、シート状通気性素材によって形成された通気性ダクト部材６によって形成され、通気性を有するダクト部材６（以下「通気性ダクト部材」ともいう）の部分のダクト壁を通じて、ダクト内部空間と外部とが互いに連通する事によって、いわゆるポーラスダクトとして機能する。
【００３４】
すなわち、通気ダクト５は、略円筒状に形成された通気性ダクト部材６の両端部に、合成樹脂などにより非通気性に形成されたダクト部材７，７が接続されて構成されてなる、その内部に空気を通流するダクトである。ダクト部材７，７は、その一端に他のダクト部材などと接続されるべき口元部７１を有し、他端に通気性ダクト部材６が取り付けられる拡径された嵌合部７２を有し、その間がダクト部７０に形成された部材である。図４にも示すように、通気性ダクト部材６の両端部は、嵌合部７２の内側にはめ込まれるように接着一体化されており、ダクト部材６の内周面が、ダクト部７０の内周面とほぼ連続するようになっている。
【００３５】
図５にはダクト軸と垂直な面による通気ダクト５の断面を示すが、通気性ダクト部材６は、シート状の通気性素材が山部と谷部を有する襞折状にプリーツ加工され、襞の折方向がダクト軸と平行となるように、その両端部を接合して円筒状に形成された部材である。更に、隣接する襞の表面が互いに接触するようにしてダクト壁が形成されている。なお、本実施形態においては、隣接する襞の接触状態が確実に維持されるように、通気性ダクト部材６の外周に嵌合部７２が外嵌するようにして、その外周形状を規制し、通気性部材３がその周方向にやや圧縮傾向となるように保つことが好ましい。また、本実施形態において通気性ダクト部材６は長円状の断面を有しているが、これに限定されるものではない。
【００３６】
本実施の形態においても、第１の実施形態と同様に、通気ダクト５はいわゆるポーラスダクトのような消音機能を発揮する。また、比較的薄いシート状通気性素材を使用しても通気性ダクト部材６は、その形状保持性と強度剛性に優れたものとなって、通気ダクトとしての使用に好適なものとできる。さらに、襞折の山数を調整することによって、シート状通気性素材の圧縮の程度を調整して、通気性ダクト部材６の通気性を調整することができ、通気ダクト５の消音性能の調整を容易に行うことができる。
【００３７】
本実施形態においては、通気性ダクト部材６の保形性や隣接する襞の接触状態の維持を向上させるために、通気性ダクト部材６に保形部材を追加しても良い。保形部材としては、例えば、通気性ダクト部材６の外周に配置・固定されるリング状のバンド部材や、通気性ダクト部材６の末端面に一体化されるリング状の保形部材が例示できる。
【００３８】
これら保形部材を備えるような通気性ダクト部材６であれば、ダクト部材７を使用することなく、直接エアクリーナなどの他の部材に接続したり、ダクトの開口末端部となることができる。
【００３９】
また、図２の第１の実施形態においては、襞折の方向がダクト軸方向と略直角となるように通気性部材を取り付けた例を示したが、本発明はこれに限定されず、第１の実施形態において、襞折の方向がダクト軸方向と平行になるように取り付けてもよい。開口部の長さＬは幅Ｗよりも長くされていることが多いので、襞折の方向がダクト軸方向と略直角となるようにすれば、通気性部材２の剛性や強度を高めることができる。一方、襞折の方向がダクト軸方向と平行になるようにすれば、通気性部材２をダクト壁の周形状に沿うように湾曲させて取り付けることができるので、取り付け部２３やフランジ２７の形成が容易となるとともに、省スペース化できる。
【００４０】
また、説明した実施形態においては、プリーツ成形された不織布を通気性部材３として使用した例を示したが、通気性部材はシート状の不織布からなるものに限定されるものではなく、その他の通気性素材、例えば樹脂発泡体などを使用することもできる。図６には、樹脂発泡体として、発泡ポリウレタン樹脂を使用した例を示す。第１の実施形態においては、略Ｖ字状に襞折された不織布を隣接する襞の表面が互いに接触するようにした通気性部材を示したが、図６に示す実施の形態においては、薄いシート状の発泡ポリウレタンスポンジを略Ｕの字状に襞折して隣接する襞の表面が互いに接触するようにして通気性部材８を構成している。本実施の形態においては、特に、襞折された山部８１、８１や谷部８２、８２に近い部分（近傍部）で、隣接する襞の表面が互いに接触している。このような実施形態とすることによって、通気性部材８の内部の空気層の部分が多く確保でき、適度な通気性を維持しながら、通気性部材８を比較的少ない通気性素材で形成することが可能となる。特に発泡樹脂シートを使用する際はこの形態が好ましい。
【００４１】
本実施形態においてはシート状の発泡樹脂体として、連続気泡構造を有するポリウレタン系発泡体が使用できる。その他の好ましい樹脂発泡体としては、ポリオレフィン系発泡体（ポリエチレン発泡体、発泡エチレン−酢酸ビニル共重合体など）、ポリ塩化ビニル系発泡体などの合成樹脂発泡体が例示できる。
【００４２】
樹脂発泡体の気泡構造には、独立気泡構造、連続気泡構造、両者を組み合わせた構造があるが、本発明においては通気性を有する樹脂発泡体である必要があるので、少なくとも連続気泡を含む構造が好ましい。また、樹脂発泡体の表面にスキン層がある場合には、スキン層を除去して使用することが好ましい。連続気泡の割合は、全気泡中６０〜１００％（例えば、６５〜９９．９％）、好ましくは７０〜９９％程度である。
【００４３】
また、樹脂発泡体の密度は、１０〜１００ｋｇ／ｍ３程度の範囲から選択でき、例えば、適度な通気性をもたせるためには、３０〜７０ｋｇ／ｍ３、好ましくは４０〜４８ｋｇ／ｍ３、さらに好ましくは４２〜４６ｋｇ／ｍ３程度である。樹脂発泡体の通気度（ＪＩＳ Ｋ６４００−７ Ａ法に準拠した方法）は０．１〜５ｄｍ３／秒程度の範囲から選択でき、例えば、０．３〜２ｄｍ３／秒、好ましくは０．４〜１．４ｄｍ３／秒、さらに好ましくは０．５〜１．３ｄｍ３／秒（特に０．６〜１．２ｄｍ３／秒）程度であってもよい。
【００４４】
合成樹脂からなる非通気性のダクト本体２やダクト部材７を形成する材料や製造方法は、ダクトが成形可能であれば上記実施形態に限定されるものではなく、例えば、種々のプラスチック（例えば、ポリエチレン、ポリプロピレンなどのオレフィン系樹脂、塩化ビニル系樹脂などのビニル系樹脂、ポリエチレンテレフタレートなどのポリエステル系樹脂、ポリアミド６などのポリアミド系樹脂、ポリカーボネート系樹脂などの熱可塑性樹脂；ゴム又は熱可塑性エラストマー；ポリウレタン系樹脂など）などを、ブロー成形法や射出成形法により成形することが好ましい。これらの素材のうち、生産性や成形性、耐熱性などの点から、ポリプロピレンなどの熱可塑性樹脂を使用することが特に好ましい。
【００４５】
ダクト本体２と通気性部材３の一体化方法は、上記実施形態で説明した熱溶着や接着などの方法に限定されず、通気性部材で開口部が覆われるように取付け可能な一体化方法であれば、その他、取付け枠部材を使用する構造や、係合爪・係合部材により固定する構造、粘着テープを使用する構造、かしめにより通気性部材の脱落を防止する構造などの周知の取付け構造が採用できる。
【産業上の利用可能性】
【００４６】
本発明によれば、通気ダクトの一部が通気性部材あるいは通気性のダクトによって構成された通気ダクトにおいて、通気性部材の機械的強度や剛性を高められるとともに、通気性部材の通気性の調整が行いやすいような通気ダクトが得られる。したがって、本発明によれば、騒音防止に効果的なポーラスダクトが提供しやすくなる。
【図面の簡単な説明】
【００４７】
【図１】本発明の通気ダクトの第１実施形態を示す斜視図である。
【図２】本発明の通気ダクトの第１実施形態を示す断面図である。
【図３】本発明の通気ダクトの第２実施形態を示す斜視図である。
【図４】本発明の通気ダクトの第２実施形態を示す断面図である。
【図５】本発明の通気ダクトの第２実施形態を示す断面図である。
【図６】本発明の通気性部材の他の実施形態を示す断面図である。
【符号の説明】
【００４８】
１        通気ダクト
２          ダクト本体
２１            開口部
２２            大筒部
２３            取り付け部
２５            口元部
２７            フランジ
３、８      通気性部材
３１、８１      山部
３２、８２      谷部
５        通気ダクト
６          通気性ダクト部材
７          ダクト部材
７０            ダクト部
７１            口元部
７２            嵌合部
【図１】
2010002147.tif 000003
【図２】
2010002147.tif 000004
【図３】
2010002147.tif 000005
【図４】
2010002147.tif 000006
【図５】
2010002147.tif 000007
【図６】
2010002147.tif 000008